(57)【要約】      （修正有）【課題】ベンド領域に配置されたデータラインやタッチラインにおいて、クラックに強い金属配線構造を提供する。【解決手段】ディスプレーパネルの外郭領域に曲がったベンド領域でタッチ認識が可能なタッチディスプレーパネルにおいて、ベンド領域に配置される絶縁層６１０、６２０、６３０に高さを異にするパターン（タッチラインＴＬ１〜ＴＬ３）を形成し、絶縁層に形成されたパターンの内部にタッチラインＴＬ３、データラインのような金属配線を配置することにより、ベンド領域に配置された絶縁層が金属配線を保持する。【選択図】図６
2019079538.tif 000002
【特許請求の範囲】
【請求項１】
アクティブ領域と、
前記アクティブ領域の外部に位置し、ベンド領域を含むノンアクティブ領域と、
前記アクティブ領域に配置された複数のタッチ電極と、
前記ベンド領域に配置され、第１高さを有する第１領域と前記第１高さよりも低い第２高さを有する第２領域とを含む第１絶縁層と、
前記ノンアクティブ領域の前記ベンド領域で前記第１絶縁層の前記第２領域に配置された第１タッチラインと、を含むタッチディスプレーパネル。
【請求項２】
前記第１絶縁層で前記第２高さを有する前記第２領域は、開口された領域である請求項１に記載のタッチディスプレーパネル。
【請求項３】
前記第１タッチラインの厚さは、前記第１高さと前記第２高さとの差と同じか、または前記第１高さと前記第２高さとの差よりも小さい請求項１に記載のタッチディスプレーパネル。
【請求項４】
前記第１絶縁層の下部に位置し、前記第１タッチラインと重畳する第２タッチラインをさらに含む請求項１に記載のタッチディスプレーパネル。
【請求項５】
前記第２タッチラインは、
前記ノンアクティブ領域で前記第１タッチラインと少なくとも１つの地点で電気的に連結される請求項４に記載のタッチディスプレーパネル。
【請求項６】
前記第２タッチラインは、前記ベンド領域に配置されず、前記ノンアクティブ領域のうち前記ベンド領域を除いた領域で前記第１タッチラインと少なくとも１つの地点で電気的に連結される請求項５に記載のタッチディスプレーパネル。
【請求項７】
前記第２タッチラインの下部に配置される第２絶縁層と、
前記第２絶縁層の下部に配置される金属配線とをさらに含み、
前記金属配線は、
前記ノンアクティブ領域のうち、前記ベンド領域を除いた領域で前記第２タッチラインと少なくとも１つの地点で電気的に連結され、
前記金属配線は、第３タッチラインまたはデータラインである、請求項４に記載のタッチディスプレーパネル。
【請求項８】
前記金属配線の下部に配置される第３絶縁層をさらに含み、
前記金属配線は、
第３タッチラインであり、前記第３絶縁層は、前記ベンド領域のみ位置し、前記第３タッチラインは、前記第３絶縁層の側面と上面に沿って配置される請求項７に記載のタッチディスプレーパネル。
【請求項９】
前記第２絶縁層の下部に位置し、第１高さを有する第１領域と前記第１高さよりも低い第２高さを有する第２領域とを含み、前記第２領域が、開口された領域である第３絶縁層をさらに含み、
前記金属配線は、
前記第３絶縁層の前記開口された領域に配置される請求項７に記載のタッチディスプレーパネル。
【請求項１０】
前記金属配線は、
第３タッチラインであり、前記タッチディスプレーパネルは、データラインをさらに含み、前記第３タッチラインは、前記ベンド領域に配置される前記データラインと同じ層に配置される請求項７に記載のタッチディスプレーパネル。
【請求項１１】
前記第１タッチラインは、
前記ベンド領域でジグザグ形状である第１部分と、ジグザグ形状であり、前記第１部分と交差する第２部分とを含む請求項１に記載のタッチディスプレーパネル。
【請求項１２】
前記複数のタッチ電極は、
前記アクティブ領域で封止層上に配置され、前記ベンド領域に配置された前記第１タッチラインと電気的に連結される請求項１に記載のタッチディスプレーパネル。
【請求項１３】
請求項１から請求項１２のいずれか１項に記載のタッチディスプレーパネルと、前記タッチディスプレーパネルを駆動するための駆動回路とを含み、前記複数のタッチ電極が、前記第１タッチラインによって前記駆動回路と連結されたタッチディスプレー装置。
【請求項１４】
複数のタッチ電極が配置されたアクティブ領域と、
前記アクティブ領域の外部に位置し、ベンド領域を含むノンアクティブ領域と、
前記ベンド領域に配置され、第１高さを有する第１領域と前記第１高さよりも低い第２高さとを有する第２領域を含む絶縁層と、
前記絶縁層の前記第２領域に配置された金属配線と、
前記絶縁層と前記金属配線上に配置された保護層と、
を含むタッチディスプレーパネル。
【請求項１５】
前記金属配線の厚さは、
前記第１高さと前記第２高さとの差と同じか、または前記第１高さと前記第２高さとの差よりも小さい請求項１４に記載のタッチディスプレーパネル。
【請求項１６】
前記絶縁層で前記第２高さを有する前記第２領域は、開口された領域である請求項１４に記載のタッチディスプレーパネル。
【請求項１７】
請求項１４から請求項１６のいずれか１項に記載のタッチディスプレーパネルと、
前記タッチディスプレーパネルを駆動するための駆動回路とを含み、
前記複数のタッチ電極は、前記金属配線によって前記駆動回路と連結されたタッチディスプレー装置。
【発明の詳細な説明】
【技術分野】
【０００１】
本発明の実施例は、タッチディスプレーパネル及びタッチディスプレー装置に関する。
【背景技術】
【０００２】
情報化社会が発展するにつれて、画像を表示するディスプレー装置についての様々な要求が増加しており、液晶ディスプレー装置（Ｌｉｑｕｉｄ  Ｃｒｙｓｔａｌ  Ｄｉｓｐｌａｙ  Ｄｅｖｉｃｅ）、プラズマディスプレー装置（Ｐｌａｓｍａ  Ｄｉｓｐｌａｙ  Ｄｅｖｉｃｅ）、有機発光ディスプレー装置（Ｏｒｇａｎｉｃ  Ｌｉｇｈｔ  Ｅｍｉｔｔｉｎｇ  Ｄｉｓｐｌａｙ  Ｄｅｖｉｃｅ）など、様々な類型のディスプレー装置が活用されている。
【０００３】
これらのディスプレー装置は、ユーザーに、より様々な機能を提供するために、ディスプレーパネルについてのユーザーのタッチを認識し、認識されたタッチに基づいて入力処理を実行する機能を提供する。
【０００４】
一例として、ディスプレーパネルについてのユーザーのタッチをセンシングするために、ディスプレーパネルに多数のタッチ電極を配置し、タッチ電極と駆動回路を連結するタッチラインを配置する。そして、ディスプレーパネルについてのユーザーのタッチ時に発生する静電容量の変化をセンシングしてディスプレーパネルについてのユーザーのタッチ有無やタッチ位置などを感知できる。
【０００５】
このようなタッチ認識が可能なディスプレーパネルは、ディスプレーパネルに応じて様々な構造を有することができ、ディスプレーパネルの外郭領域が曲がったベンド領域を含み得る。
【０００６】
このように、ディスプレーパネルがベンド領域を含む場合、ベンド領域に配置されるタッチラインは、ベンド領域のように曲がった形で配置され、タッチラインが曲がった形で配置されることにより、タッチラインにクラック（Ｃｒａｃｋ）が発生しやすい問題点が存在する。
【発明の概要】
【発明が解決しようとする課題】
【０００７】
本発明の実施例の目的は、ディスプレーパネルの外郭領域に曲がったベンド領域を含むディスプレーパネル構造で、タッチ認識が可能なタッチディスプレーパネル及びタッチディスプレー装置を提供することにある。
【０００８】
本発明の実施例の目的は、ベンド領域を含むディスプレーパネルで、ベンド領域に配置されたデータライン、タッチラインなどのような金属配線のクラックを防止することができる構造を有するタッチディスプレーパネルとタッチディスプレー装置を提供することにある。
【課題を解決するための手段】
【０００９】
一側面において、本発明の実施例は、アクティブ領域と、前記アクティブ領域の外部に位置し、ベンド領域を含むノンアクティブ領域と、前記アクティブ領域に配置された多数のタッチ電極と、前記ベンド領域に配置され、第１高さを有する第１領域と前記第１高さよりも低い第２高さを有する第２領域を含む第１絶縁層と、前記ノンアクティブ領域の前記ベンド領域で前記第１絶縁層の前記第２領域に配置された第１タッチラインと、を含むタッチディスプレーパネルを提供する。
【００１０】
これらのタッチディスプレーパネルは、第１絶縁層の下部に位置し、第１タッチラインと重畳するように配置される第２タッチラインと、第２タッチラインの下部に配置される第２絶縁層と、第２絶縁層の下部に配置される金属配線と、第２絶縁層の下部に位置し、開口された領域を含む第３絶縁層をさらに含み得、金属配線は、第３絶縁層の開口された領域に配置され得る。
【００１１】
他の側面において、本発明の実施例は、多数のタッチ電極が配置されたアクティブ領域と、アクティブ領域の外部に位置し、ベンド領域を含むノンアクティブ領域と、ベンド領域に配置され、第１高さを有する第１領域と第１高さよりも低い第２高さを有する第２領域を含む絶縁層と、絶縁層の第２領域に配置された金属配線と、絶縁層と金属配線上に配置された保護層を含むタッチディスプレーパネルを提供する。
【発明の効果】
【００１２】
本発明の実施例によると、ディスプレーパネルのベンド領域に配置される金属配線のジグザグ構造と段差のある構造などを通じて金属配線のクラックを防止することができるタッチディスプレーパネルとタッチディスプレー装置を提供する。
【００１３】
また、本発明の実施例によると、ベンド領域に配置される絶縁層にパターンを形成し、絶縁層に形成されたパターンの内部に金属配線を配置させることにより、金属配線がベンド領域で曲がることによって発生する可能性のあるクラックにさらに強い構造を提供する。
【図面の簡単な説明】
【００１４】
【図１】本発明の実施例によるタッチディスプレー装置の概略的な構成を示した図面である。
【図２】本発明の実施例によるタッチディスプレー装置の断面構造の例を示した図面である。
【図３】本発明の実施例によるタッチディスプレー装置の断面構造の例を示した図面である。
【図４】本発明の実施例によるタッチディスプレー装置がベンド領域を含む構造の例を示した図面である。
【図５】本発明の実施例によるタッチディスプレー装置で、ベンド領域に配置される金属配線の構造の例を示した図面である。
【図６】図５でＡ−Ａ’部分の断面の例を示した図面である。
【図７】図５でＢ−Ｂ’部分の断面の例を示した図面である。
【図８】本発明の実施例によるタッチディスプレー装置のベンド領域で、金属配線が配置される領域の全体的な構造の例を示した図面である。
【図９】図５のＡ−Ａ’部分に図８の構造が適用された場合の例を示した図面である。
【図１０】図５のＡ−Ａ’部分に図８の構造が適用された場合の例を示した図面である。
【図１１】図５のＡ−Ａ’部分に図８の構造が適用された場合の例を示した図面である。
【図１２】図５のＢ−Ｂ’部分に図８の構造が適用された場合の例を示した図面である。
【発明を実施するための形態】
【００１５】
以下、本実施例の一部実施例を例示的な図面を参照して詳細に説明する。各図面の構成要素に参照符号を付け加えるにおいて、等しい構成要素に対しては、たとえ他の図面上に表示されても可能な限り等しい符号を有することができる。また、本実施例を説明するにおいて、関連される公知構成または機能に対する具体的な説明が本実施例の要旨を濁すことがあると判断される場合には、その詳細な説明は略することができる。
【００１６】
また、本実施例の構成要素を説明するにおいて、第１、第２、Ａ、Ｂ、（ａ）、（ｂ）などの用語を使用することができる。このような用語は、その構成要素を他の構成要素と区別するためのものであるだけで、その用語によって該当構成要素の本質、順番、順序または個数などが限定されない。ある構成要素が異なる構成要素に「連結」、「結合」または「接続」されると記載した場合、その構成要素は、その他の構成要素に直接的に連結されるか、または接続されることができるが、各構成要素の間に他の構成要素が「介在」されるか、または各構成要素が異なる構成要素を通じて「連結」、「結合」または「接続」されることもできると理解されるべきである。
【００１７】
図１は、本発明の実施例によるタッチディスプレー装置１００の概略的な構成を示したものである。
【００１８】
図１を参照すると、本発明の実施例によるタッチディスプレー装置１００は、多数のタッチ電極ＴＥと多数のタッチラインＴＬが配置されるタッチディスプレーパネル１１０と、タッチ電極ＴＥにタッチ駆動信号を出力し、タッチ電極ＴＥから受信されるタッチセンシング信号に基づいてタッチをセンシングする駆動回路１２０を含む。
【００１９】
タッチディスプレーパネル１１０は、多数のサブピクセルが配置され、映像を表示するアクティブ領域Ａ／Ａ（Ａｃｔｉｖｅ  Ａｒｅａ）と、アクティブ領域Ａ／Ａの外側に位置し、サブピクセルに印加される信号を伝達するための配線などが配置されるノンアクティブ領域Ｎ／Ａ（Ｎｏｎ−Ａｃｔｉｖｅ  Ａｒｅａ）に区分されることができる。
【００２０】
タッチディスプレーパネル１１０のアクティブ領域Ａ／Ａには、ゲートラインとデータラインが交差して配置され、ゲートラインとデータラインが交差する領域にサブピクセルが配置される。
【００２１】
アクティブ領域Ａ／Ａに配置されたサブピクセルは、ゲートラインに印加されるスキャン信号のタイミングに合わせてデータラインを介して供給されるデータ電圧に応じて階調を表現してアクティブ領域Ａ／Ａを介して映像が表示されるようにする。
【００２２】
これらのアクティブ領域Ａ／Ａには、ディスプレー駆動のための構成以外にユーザーのタッチをセンシングするための多数のタッチ電極ＴＥが配置され得る。
【００２３】
多数のタッチ電極ＴＥは、タッチディスプレー装置１００が液晶ディスプレー装置の場合、アクティブ領域Ａ／Ａに配置される共通電極がタッチ電極ＴＥとして活用され得る。タッチディスプレー装置１００が有機発光ディスプレー装置の場合、タッチ電極ＴＥは、封止層上に配置され得るが、ここに限定されるものではない。
【００２４】
ここで、タッチディスプレー装置１００が有機発光ディスプレー装置の場合、タッチ電極ＴＥが配置される構造を図２及び図３を参照して簡単に説明すると、タッチ電極ＴＥは、封止層（Ｅｎｃａｐ）とタッチディスプレーパネル１１０のカバーとの間に配置され得る。
【００２５】
すなわち、タッチ電極ＴＥとタッチラインＴＬなどのようにタッチセンシングのための構成は、封止層（Ｅｎｃａｐ）上に配置され得る。
【００２６】
具体的に、封止層（Ｅｎｃａｐ）の下に有機発光ダイオード（ＯＬＥＤ）のカソード（Ｃａｔｈｏｄｅ）が配置され、カソード（Ｃａｔｈｏｄｅ）と離隔して封止層（Ｅｎｃａｐ）上にタッチ電極ＴＥが配置される。
【００２７】
一例として、封止層（Ｅｎｃａｐ）の厚さＴは、５μｍ以上であり得る。
【００２８】
このように、封止層（Ｅｎｃａｐ）の厚さＴを一定の厚さ以上に設計することにより、有機発光ダイオード（ＯＬＥＤ）のカソード（Ｃａｔｈｏｄｅ）とタッチ電極ＴＥとの間に形成される寄生静電容量を減少させることができる。これによって、 寄生静電容量によるタッチセンシング感度の低下を防止できるようにする。
【００２９】
一方、タッチ電極ＴＥが穴Ｈを含むメッシュタイプの場合、タッチ電極ＴＥに含まれた穴Ｈは、サブピクセルの発光部と対応して位置し得る。
【００３０】
したがって、タッチ電極ＴＥの穴Ｈは、カラーフィルターＣＦと対応することができ、ホワイト有機発光ダイオード（ＯＬＥＤ）を用いる場合などのようにカラーフィルターＣＦが必要な場合、カラーフィルターＣＦの位置をタッチ電極ＴＥの穴Ｈの位置と対応させて、優れた発光性能を有するタッチディスプレー装置１００を提供することができる。
【００３１】
これらのタッチ電極ＴＥとカラーフィルターＣＦの垂直的な位置は、様々に設計されることができる。
【００３２】
一例として、図２に示すように、カラーフィルターＣＦとブラックマトリックスＢＭは、タッチ電極ＴＥ上に配置され得る。また、カラーフィルターＣＦとブラックマトリックスＢＭは、タッチ電極ＴＥ上に配置されるオーバーコート層ＯＣ上に配置され得る。
【００３３】
他の例として、図３に示すように、カラーフィルターＣＦとブラックマトリックスは、タッチ電極ＴＥの下部に位置し得る。このとき、タッチ電極ＴＥは、カラーフィルターＣＦとブラックマトリックスＢＭ上に配置されるオーバーコート層ＯＣ上に配置され得る。
【００３４】
すなわち、タッチ電極ＴＥとカラーフィルターＣＦは、タッチ性能とディスプレー性能を考慮して、最適の位置関係を有するように設計されることができる。
【００３５】
また、封止層（Ｅｎｃａｐ）上にタッチ電極ＴＥを配置する構造を提供することにより、有機物によって、一般的に金属物質であるタッチ電極ＴＥをパネル内部に形成しにくい問題点を克服し、優れたディスプレー性能とタッチ性能を有する有機発光ディスプレー装置を提供できるようにする。
【００３６】
このように、タッチディスプレーパネル１１０の内部に配置された多数のタッチ電極ＴＥは、アクティブ領域Ａ／Ａに一定に分離した構造で配置され、タッチラインＴＬを介して駆動回路１２０と連結される。
【００３７】
これらのタッチ電極ＴＥとタッチラインＴＬは、タッチをセンシングする方式に応じて、様々な構造で配置されることができ、本明細書では、相互静電容量センシング方式でタッチをセンシングする場合を例として説明するが、本発明の実施例は、ここに限定されない。
【００３８】
多数のタッチ電極ＴＥは、駆動回路１２０から出力されるタッチ駆動信号の印加を受けるＴｘ電極と、駆動回路にタッチセンシング信号を伝達するＲｘ電極で構成され得る。
【００３９】
そして、多数のタッチラインＴＬは、タッチ電極ＴＥのうち、Ｔｘ電極と連結されるＴｘタッチラインＴＬ（Ｔｘ）と、Ｒｘ電極と連結されるＲｘタッチラインＴＬ（Ｒｘ）で構成され得る。
【００４０】
一例として、図１に示すように、ＴｘタッチラインＴＬ（Ｔｘ）は、タッチ電極ＴＥのＴｘ電極と横方向に連結され、ＲｘタッチラインＴＬ（Ｒｘ）は、タッチ電極ＴＥのＲｘ電極と縦方向に連結されることができる。
【００４１】
駆動回路１２０は、タッチをセンシングする時間区間でＴｘタッチラインＴＬ（Ｔｘ）を介してＴｘ電極にタッチ駆動信号を印加し、ＲｘタッチラインＴＬ（Ｒｘ）を介してＲｘ電極からタッチセンシング信号を受信してタッチディスプレーパネル１１０についてのユーザーのタッチ有無やタッチ位置を感知する。
【００４２】
したがって、本発明の実施例によると、パネルにタッチ電極ＴＥとタッチラインＴＬを配置し、これにより、ディスプレーパネルについてのユーザーのタッチを認識することができるタッチディスプレー装置１００を提供する。
【００４３】
一方、このようなタッチディスプレー装置１００は、タッチディスプレーパネル１１０が様々な形態を有することができるが、一例として、タッチディスプレーパネル１１０の外郭領域が曲がったベンド領域を含み得る。
【００４４】
図４は、本発明の実施例によるタッチディスプレー装置１００が外郭領域にベンド領域を含む場合の例を示したものである。
【００４５】
図４を参照すると、本発明の実施例によるタッチディスプレー装置１００のタッチディスプレーパネル１１０は、サブピクセルとタッチ電極ＴＥなどが配置されるアクティブ領域Ａ／Ａとアクティブ領域Ａ／Ａの外側に位置するノンアクティブ領域Ｎ／Ａを含み得る。
【００４６】
タッチディスプレーパネル１１０の外郭領域であるノンアクティブ領域Ｎ／Ａは、少なくとも一部が曲がったベンド領域を含み得る。
【００４７】
これらのベンド領域には、アクティブ領域Ａ／Ａに配置されたタッチ電極ＴＥと駆動回路１２０を連結するタッチラインＴＬが配置され得る。
【００４８】
これらのタッチラインＴＬは、タッチ電極ＴＥと駆動回路１２０を連結し、ベンド領域でベンド領域が曲がった形に沿って配置され得る。
【００４９】
すなわち、ベンド領域の曲がった曲面に沿ってタッチラインＴＬが配置され得る。
【００５０】
したがって、ベンド領域に配置されるタッチラインＴＬがベンド領域の形に応じて曲がることにより、タッチラインＴＬにクラック（Ｃｒａｃｋ）が発生する可能性がある。
【００５１】
本発明の実施例によるタッチディスプレー装置１００は、ベンド領域でタッチラインＴＬが曲がることによって発生するクラックを防止することができる構造を提供する。
【００５２】
図５は、本発明の実施例によるタッチディスプレー装置１００で、タッチディスプレーパネル１１０のベンド領域に配置されるタッチラインＴＬの構造の例を示したものであって、タッチディスプレーパネル１１０のベンド領域が広がる状態を示す断面図である。
【００５３】
図５を参照すると、タッチディスプレーパネル１１０で、タッチ電極ＴＥが配置されるアクティブ領域Ａ／Ａの外側にタッチ電極ＴＥと連結されるためのタッチラインＴＬが配置されるリンク領域が位置する。
【００５４】
リンク領域と隣接する部分には、タッチディスプレーパネル１１０が曲がることによって形成されるベンド領域が位置する。
【００５５】
ベンド領域と隣接する部分には、駆動回路１２０と連結されるタッチラインＴＬが配置されるパッド領域が位置する。
【００５６】
すなわち、アクティブ領域Ａ／Ａの外側に位置するリンク領域、ベンド領域及びパッド領域には、アクティブ領域Ａ／Ａに配置されたタッチ電極ＴＥと駆動回路１２０を連結するタッチラインＴＬが配置される。
【００５７】
ここで、ベンド領域が曲がることによってベンド領域に配置されるタッチラインＴＬのクラックが発生する可能性がある。
【００５８】
本発明の実施例によるタッチディスプレー装置１００は、ベンド領域に配置されるタッチラインＴＬがベンド領域が曲がってもクラックの発生を最小化できる構造を提供する。
【００５９】
一例として、図５に示すように、リンク領域とパッド領域に配置されたタッチラインＴＬは、直線形で配置され得る。そして、ベンド領域に配置されるタッチラインＴＬは、ベンド領域が曲がる方向と斜めの方向に配置されることにする。
【００６０】
具体的に、ベンド領域でタッチラインＴＬは、ベンド領域が曲がった方向と斜めの第１方向及び第１方向と交差する第２方向に配置される構造である多数の菱形の形状が連結された構造で配置され得る。
【００６１】
すなわち、タッチラインＴＬがジグザグ形状を有する第１部分と第２部分で構成され、第１部分と第２部分が交差して１つのタッチラインＴＬを構成することができる。
【００６２】
タッチラインＴＬを多数の菱形の形状が連結された構造で配置することにより、曲がった形であるベンド領域でタッチラインＴＬがベンド領域の形態に応じて曲がっても、ベンド領域が曲がった方向と斜めの方向にタッチラインＴＬが受ける力が分散できるようにする。
【００６３】
したがって、ベンド領域に配置されたタッチラインＴＬが曲がる方向に受ける力を分散させて、タッチラインＴＬのクラックが発生することを減少させることができるようにする。
【００６４】
また、本発明の実施例は、ベンド領域に配置されるタッチラインＴＬを段差のある構造で配置することにより、クラックに強い構造を提供することができる。
【００６５】
図６及び図７は、本発明の実施例によるタッチディスプレー装置１００のベンド領域に配置される金属配線の断面構造を示したものであって、図６は、図５のＡ−Ａ’部分の断面の例を示したものであり、図７は、図５のＢ−Ｂ’部分の断面の例を示したものである。
【００６６】
図６を参照すると、本発明の実施例によるタッチディスプレー装置１００で、ノンアクティブ領域Ｎ／Ａに第１タッチラインＴＬ１と、第１タッチラインＴＬ１の下部に第１絶縁層６１０と、第１絶縁層６１０の下部に第２タッチラインＴＬ２が配置され得る。
【００６７】
ここで、第１絶縁層６１０は、「タッチ絶縁層」とも言う。
【００６８】
そして、タッチラインＴＬを第１タッチラインＴＬ１と第２タッチラインＴＬ２の二重配線構造として配置することにより、タッチセンシング感度を向上させることができる。
【００６９】
第２タッチラインＴＬ２の下部に第２絶縁層６２０が配置され、第２絶縁層６２０の下部に第３タッチラインＴＬ３が配置され、第３タッチラインＴＬ３の下部に第３絶縁層６３０が配置され得る。ここで、第３タッチラインＴＬ３は、データラインＤＬが配置される層と同じ層に配置され得る。
【００７０】
第１タッチラインＴＬ１上には、保護層６４０が配置される。
【００７１】
第１タッチラインＴＬ１と第２タッチラインＴＬ２は、ノンアクティブ領域Ｎ／Ａで第２絶縁層６２０上に配置され、アクティブ領域Ａ／Ａで封止層（Ｅｎｃａｐ）上に配置され、アクティブ領域Ａ／Ａに配置された多数のタッチ電極ＴＥと連結されることができる。
【００７２】
このとき、第１タッチラインＴＬ１、第２タッチラインＴＬ２は、ノンアクティブ領域Ｎ／Ａでベンド領域が曲がる方向と同じ方向に曲がり、段差のある構造で形成されることができる。
【００７３】
一例として、図６に示すように、第１タッチラインＴＬ１、第２タッチラインＴＬ２は、パッド領域で第２絶縁層６２０に形成されたホールに沿って曲がった形で配置され得る。
【００７４】
また、第１タッチラインＴＬ１、第２タッチラインＴＬ２は、リンク領域で第２絶縁層６２０に形成されたホールに沿って曲がった形で配置され得る。
【００７５】
そして、第１タッチラインＴＬ１と第２タッチラインＴＬ２は、ノンアクティブ領域Ｎ／Ａで少なくとも１つの地点で互いに電気的に連結されることができ、第２タッチラインＴＬ２と第３タッチラインＴＬ３も少なくとも１つの地点で電気的に連結されることができる。
【００７６】
第１タッチラインＴＬ１、第２タッチラインＴＬ２がパッド領域とリンク領域で第２絶縁層６２０に形成されたホールに沿って曲がった形で配置されることにより、ベンド領域に配置される第１タッチラインＴＬ１と第２タッチラインＴＬ２は、ベンド領域が曲がる形状のような曲がった形で配置され得る。
【００７７】
したがって、ベンド領域が曲がっても、第１タッチラインＴＬ１と第２タッチラインＴＬ２がベンド領域のように曲がった形を持っているため、曲がりに強い構造を提供する。
【００７８】
これらのタッチラインＴＬの構造は、ベンド領域に配置されるデータラインＤＬにも適用され得る。
【００７９】
図７を参照すると、ノンアクティブ領域Ｎ／ＡでデータラインＤＬは、第２絶縁層６２０と第３絶縁層６３０との間に配置され得る。
【００８０】
そして、第３絶縁層６３０は、ベンド領域のみ配置され、ベンド領域を除いた領域に配置される第２絶縁層６２０の下面よりも高く配置され得る。
【００８１】
したがって、データラインＤＬがベンド領域で、ベンド領域が曲がる形のように配置され得る。これにより、ベンド領域が曲がっても、データラインＤＬにクラックが発生することを減少させることができる。
【００８２】
しかし、このように、第１タッチラインＴＬ１、第２タッチラインＴＬ２ 及びデータラインＤＬなどをベンド領域が曲がる形と類似の構造を有するように配置しても、ベンド領域に配置されたタッチラインＴＬやデータラインＤＬにクラックが発生する可能性がある。
【００８３】
本発明の実施例は、ベンド領域で金属配線の間に配置される絶縁層にパターンを形成する構造を通じて、クラックにさらに強い金属配線構造を提供する。
【００８４】
図８は、本発明の実施例によるタッチディスプレー装置１００で、ベンド領域に配置される絶縁層８１０と金属配線８２０の概略的な構造を示したものである。
【００８５】
図８を参照すると、絶縁層８１０上に金属配線８２０が配置され、金属配線８２０上に保護層８３０が配置され得る。
【００８６】
ここで、絶縁層８１０は、第１高さを有する第１領域と、第２高さを有する第２領域を含み得る。すなわち、絶縁層８１０にパターンを形成して、第１高さよりも低い第２高さを有する第２領域を形成することができる。
【００８７】
そして、金属配線８２０は、絶縁層８１０の第２領域に配置される。
【００８８】
これらの第２領域に配置される金属配線８２０の厚さは、第１高さと第２高さの差に該当することもあり、第１高さと第２高さの差よりも小さいこともある。
【００８９】
金属配線８２０が絶縁層８１０に形成されたパターンの内部に配置されることにより、金属配線８２０がベンド領域で曲がっても、絶縁層８１０が金属配線８２０を保持する役割をして金属配線８２０にクラックが発生することを低減させることができる。
【００９０】
すなわち、図６及び図７に示された構造は、ベンド領域に配置されるタッチラインＴＬ、データラインＤＬの構造を通じてクラックに強い構造を提供し、図８に示された構造は、絶縁層８１０に形成されたパターンが金属配線８２０を保持する構造を通じてクラックにさらに強い構造を提供することができる。
【００９１】
図９ないし図１１は、図５に示されたタッチラインＴＬの構造で、図８の構造が適用された場合の例を示したものである。
【００９２】
図９を参照すると、第１タッチラインＴＬ１の下部に第１絶縁層６１０が配置され、第１絶縁層６１０の下部に第２タッチラインＴＬ２が配置される。
【００９３】
第２タッチラインＴＬ２の下部に第２絶縁層６２０と第３タッチラインＴＬ３が配置され、第３タッチラインＴＬ３の下部に第３絶縁層６３０が配置される。
【００９４】
第１タッチラインＴＬ１、第２タッチラインＴＬ２及び第３タッチラインＴＬ３は、ベンド領域が曲がる形と同じ構造で配置される。
【００９５】
ここで、第１タッチラインＴＬ１の下部に配置される第１絶縁層６１０は、第１高さを有する第１領域と、第１高さよりも低い第２高さを有する第２領域を含み得る。
【００９６】
そして、第２領域は、開口された領域であり得る。
【００９７】
第１絶縁層６１０で第１高さよりも低い第２高さを有する第２領域に第１タッチラインＴＬ１が配置され得る。
【００９８】
すなわち、第１タッチラインＴＬ１は、ベンド領域が曲がる形と類似の構造でノンアクティブ領域Ｎ／Ａに配置され、ベンド領域では、第１絶縁層６１０に形成されたパターンの内部に配置されることになる。
【００９９】
これらの第１タッチラインＴＬ１の厚さは、第１高さと第２高さの差に該当することもあり、第１高さと第２高さの差よりも小さいこともある。
【０１００】
また、第１絶縁層６１０の第２領域が開口された領域でなければ、第１タッチラインＴＬ１は、ベンド領域で第２タッチラインＴＬ２と絶縁された状態で配置され、第２領域が開口された領域であれば、第１タッチラインＴＬ１は、ベンド領域で第２タッチラインＴＬ２と電気的に連結された状態で配置され得る。
【０１０１】
したがって、第１タッチラインＴＬ１は、第１絶縁層６１０に形成されたパターンの内部に配置され、第１タッチラインＴＬ１の厚さと第２タッチラインＴＬ２との連結関係は、様々に構成され得る。
【０１０２】
ベンド領域に配置される第１タッチラインＴＬ１を第１絶縁層６１０に形成されたパターンの内部に配置させることにより、第１タッチラインＴＬ１を第１絶縁層６１０が保持する構造を通じて第１タッチラインＴＬ１が曲がっても、クラックに強い構造を提供することができる。
【０１０３】
図１０は、ベンド領域に配置される第１タッチラインＴＬ１と第２タッチラインＴＬ２の構造の他の例を示したものである。
【０１０４】
図１０を参照すると、ノンアクティブ領域Ｎ／Ａで第１タッチラインＴＬ１の下部に第１絶縁層６１０が配置され、第１絶縁層６１０の下部に第２タッチラインＴＬ２が配置される。
【０１０５】
そして、ベンド領域で第１絶縁層６１０は、第１高さを有する第１領域と、第１高さよりも低い第２高さを有する第２領域で構成される。
【０１０６】
第１タッチラインＴＬ１は、ベンド領域で第１絶縁層６１０の第２領域に配置される。
【０１０７】
ここで、第２タッチラインＴＬ２は、ベンド領域に配置されない可能性もある。
【０１０８】
すなわち、ベンド領域には、パターンが形成された第１絶縁層６１０と第１絶縁層６１０のパターンの内部に位置する第１タッチラインＴＬ１のみ配置されることもできる。
【０１０９】
第１タッチラインＴＬ１と第２タッチラインＴＬ２は、ノンアクティブ領域Ｎ／Ａのうち、ベンド領域を除いた領域で少なくとも１つの地点で電気的に連結されるため、ベンド領域には、第１タッチラインＴＬ１のみ配置されることもできる。
【０１１０】
第１タッチラインＴＬ１は、ベンド領域で第１絶縁層６１０に形成されたパターンの内部に配置されるため、第１絶縁層６１０が第１タッチラインＴＬ１を保持することになって、ベンド領域が曲がっても、クラックに強い構造を有することになる。
【０１１１】
また、第１絶縁層６１０にパターンを形成して第１タッチラインＴＬ１を保持する構造は、第１絶縁層６１０の下部に位置する第２絶縁層６２０や第３絶縁層６３０にも適用され得る。
【０１１２】
図１１は、本発明の実施例によるタッチディスプレー装置１００において、第３絶縁層６３０にパターンが形成された構造の例を示したものである。
【０１１３】
図１１を参照すると、第１タッチラインＴＬ１の下部に第１絶縁層６１０が配置され、第１絶縁層６１０の下部に第２タッチラインＴＬ２が配置される。
【０１１４】
ベンド領域で第１絶縁層６１０は、第１高さを有する第１領域と、第１高さよりも低い第２高さを有する第２領域で構成される。
【０１１５】
第１タッチラインＴＬ１は、ベンド領域で第１絶縁層６１０の第２領域に配置され、第２タッチラインＴＬ２は、ベンド領域に配置されない。
【０１１６】
ベンド領域で第１タッチラインＴＬ１と第１絶縁層６１０の下部に第２絶縁層６２０が配置され、第２絶縁層６２０の下部に第３絶縁層６３０と第３タッチラインＴＬ３が配置される。
【０１１７】
ここで、第３タッチラインＴＬ３は、データラインＤＬと同じ層に配置されるラインであり得、タッチ駆動信号が印加されるラインであり得る。
【０１１８】
または、第１タッチラインＴＬ１、第２タッチラインＴＬ２などと電気的に連結されて、第１タッチラインＴＬ１、第２タッチラインＴＬ２の抵抗を減少させてくれるラインであり得る。
【０１１９】
第３絶縁層６３０は、第１絶縁層６１０の構造と同様に、第１高さを有する第１領域と、第１高さよりも低い第２高さを有する第２領域で構成され得る。
【０１２０】
そして、ベンド領域で第３タッチラインＴＬ３は、第３絶縁層６３０の第２領域に配置され得る。
【０１２１】
したがって、ベンド領域に配置される第３タッチラインＴＬ３は、第３絶縁層６３０に形成されたパターンの内部に配置されることになって、第３絶縁層６３０が第３タッチラインＴＬ３を保持する構造を形成することになる。
【０１２２】
第３絶縁層６３０のパターンの内部に第３タッチラインＴＬ３が配置されるため、ベンド領域が曲がっても、第３タッチラインＴＬ３がクラックに強い構造を有することになる。
【０１２３】
一方、このようなベンド領域で金属配線のクラックを防止する構造は、タッチラインＴＬのみならず、データラインＤＬにも適用され得る。
【０１２４】
図１２は、本発明の実施例によるタッチディスプレー装置１００で、ベンド領域に配置されるデータラインＤＬの構造の例を示したものであって、図５に示されたデータラインＤＬの構造に図８の構造が適用された場合を示したものである。
【０１２５】
図１２を参照すると、ノンアクティブ領域Ｎ／Ａで、第２絶縁層６２０の下部にデータラインＤＬと第３絶縁層６３０が配置される。
【０１２６】
第３絶縁層６３０は、第１高さを有する第１領域と、第１高さよりも低い第２高さを有する第２領域を含む。ここで、第２領域は、開口された領域であり得る。
【０１２７】
データラインＤＬは、ベンド領域で第３絶縁層６３０の第２領域に配置される。
【０１２８】
第３絶縁層６３０の第２領域に配置されたデータラインＤＬの厚さは、第１高さと第２高さの差に該当することもある。または、第１高さと第２高さの差よりも小さいこともある。
【０１２９】
ベンド領域でデータラインＤＬが第３絶縁層６３０に形成されたパターンの内部に配置されることにより、第３絶縁層６３０がデータラインＤＬを保持する構造を形成することになる。
【０１３０】
したがって、ベンド領域でデータラインＤＬが曲がっても、第３絶縁層６３０のパターンの内部に配置された構造を通じて、データラインＤＬにクラックが発生することを低減させることができる。
【０１３１】
本発明の実施例は、ベンド領域を含むタッチディスプレーパネル及び装置で、ベンド領域に配置される絶縁層にパターンを形成し、パターンの内部に金属配線を配置することにより、絶縁層が金属配線を保持する構造を提供する。
【０１３２】
これによって、ベンド領域が曲がる形に応じて金属配線が曲がっても、絶縁層が金属配線を保持する力によって金属配線のクラックが発生することを低減させ、ベンド領域を含むタッチディスプレー装置で強い金属配線の構造を提供できるようにする。
【０１３３】
以上の説明及び添付した図は、本発明の技術的思想を例示的に説明したことに過ぎないものであって、本発明が属する技術分野において通常の知識を有する者であれば、本発明の本質的な特性から外れない範囲で様々な修正及び変形が可能である。従って、本発明に開示された実施例は、本発明の技術思想を限定するためのものではなく、説明するためのものであって、このような実施例により本発明の技術思想の範囲が限定されるものではない。本発明の保護範囲は、特許請求の範囲により解釈されるべきであり、それと同等な範囲内にある全ての技術的思想は、本発明の権利範囲に含まれるものと解釈されるべきである。
【図１】
2019079538.tif 000003
【図２】
2019079538.tif 000004
【図３】
2019079538.tif 000005
【図４】
2019079538.tif 000006
【図５】
2019079538.tif 000007
【図６】
2019079538.tif 000008
【図７】
2019079538.tif 000009
【図８】
2019079538.tif 000010
【図９】
2019079538.tif 000011
【図１０】
2019079538.tif 000012
【図１１】
2019079538.tif 000013
【図１２】
2019079538.tif 000014